(57)【要約】【課題】発電機の回転比と装置本体の負荷で、猪おどしを使って、水槽に水や、鉄球を一気に入れて、大きな位置エネルギーを多く溜めて発電装置で得た電気を使って、半永久的に、エネルギーを得る発電装置。【解決手段】変速機付発電機で回転比を大きく変えて、又装置本体の負荷で、回転速度を落した水槽に、猪おどしを使って、一定の水量や鉄球を溜めて水槽に入れた、水槽の段数を加算した、大きな位置エネルギーを、昇降機内に多く溜めた力で、発電した電気の一部を使って、水又は、鉄球を、再度巡廻させて、自力で半永久的に発電する、水及び鉄球の兼用ができる、昼夜問わず、季節や天候に左右されない、発電装置と成った。【選択図】図１
2011163247.tif 000002
【特許請求の範囲】
【請求項１】
変速機付発電機で回転比を大きく変えて又、装置本体の動く負荷でゆっくりと動く水槽に、猪おどしを使って少ない水量を時間を掛て多く溜めて、一定の水量に成ったら一気に水槽に入れ込んだ、水槽の段数を多く取り、水槽の水量と段数を加算した、水の位置エネルギーを、駆動チェーン大歯車を使ってテコの原理で更に大きくした、水又は、鉄球を動力元として、兼用して発電できる、多機能縦型発電装置。
【請求項２】
水槽の段数が多く成っても、猪おどしに水又は、鉄球の入れ込む量は一定しているが、水槽の段数全部の重量を、装置本体を１０°〜２５°の間に傾けてチェーン全体に掛るのを、中間チェーン歯車を数多く取り付て、水槽全体の重量を分散させて、チェーンと中間チェーン歯車の噛合せを確実にして、チェーンの破損を防いだ、請求項１記載の、多機能縦型発電装置。
【請求項３】
水量や水槽の段数を多くする事で、又駆動チェーン大歯車で、大きな位置エネルギーを多く溜めた装置で発電した、電気の一部を使って、水又は、鉄球を、ポンプや電磁石を使った装置で、少しづつ上へ上げて、再度水槽へ入れて、回転力と成る、自力で、半永久的に発電する、請求項１、記載の、多機能縦型発電装置。
【発明の詳細な説明】
【技術分野】
【０００１】
本発明は、少ない水量を猪おどしを使い、水槽に溜めた水の位置エネルギーを、昇降機を使った発電装置で得たエネルギーの一部を使って、又水を巡廻させて、自力で、半永久的に発電する装置で、水以外の金属の玉を兼用する事ができる、発電装置に関する物。
【背景技術】
【０００２】
従来の水を利用して発電する装置は、昔の様な大車輪の水車や、スクリュウ状の羽根や、螺旋状の羽根、又は、タービン等回転して、エネルギーを取り出す装置に関する物は多く有るが、昇降機を使い水や液体の圧力を使って、発電する、特許文献１、に記載されて有る、水中でエアーを吹き込んで、エアーの上昇により回転させ発電する方法が有るが、装置を水中に設置しなければならない。
【０００３】
従来の金属の玉を転がして発電する装置は、特許文献２、に記載されて有るが、螺旋状のレールから鉄球を転がして、鉄球を受け取める棒が、回転して発電する装置で有る、鉄球を上から螺旋状レールを使い転がせば、鉄球を受けて回転する受け軸棒は、下るので再び受け軸棒は上げなければ、回転を続行うする事ができないと思われる。
【先行技術文献】
【特許文献】
【０００４】
【特許文献１】特開２００１−２０７９４５号公報
【特許文献２】特開２００２−０８１３６８号公報
【発明の概要】
【発明が解決しようとする課題】
【０００５】
本発明は、水又は、鉄球の位置エネルギーを時間を掛て、装置内に蓄えたエネルギーを有効に使って、自力で、半永久的に発電する、多機能縦型発電装置の提供をする。
【課題を解決するための手段】
【０００６】
本発明は、縦型の装置で昇降機のチェーンに水槽を数段取り付て、上から下へと回転する、最上の水槽に、猪おどしの大きい装置を使って、少ない水量を時間を掛て、一時的に溜めて、一定の量に達したら水槽に、一気に入れ込んだ、又駆動チェーン大歯車を大きくする事で、テコの原理で水槽の水は大きな位置エネルギーと成って発電する装置で、又水以外の良く転ぶ鉄球を使う事ができる、兼用の、多機能縦型発電装置である。
【０００７】
本発明は、変速機付発電機や装置本体の負荷により、回転速度を遅くする事で、チェーンの短所で有る高速回転によるチェーンの破損を防ぐ事ができ、水槽内に一気に水を入れ込みやすく成った。又水槽上部を１／３閉じたので、一気に入れ込んだ水が、水槽内で跳ね上って、溢れるのを防いだ、又少し溢れた水は水槽の緑を伝って、下の水槽の中へ入る様に下の方を狭くした四方転びの形状とした、多機能縦型発電装置である。
【０００８】
本発明は、できるだけ水槽を大きくして、水の重量を増し、又水槽の段数を多く取る事により、水槽内の水の重量と水槽の段数が加算した、水の位置エネルギーが、縦型発電装置本体が遅く回転する事により、時間を持続した大きい力と成って、昇降機内に蓄えられ、更に大きな回転力と成って発電する、多機能縦型発電装置である。
【０００９】
本発明は、水槽の段数を有る一定以上多くする事により、位置エネルギーが多く昇降機内に蓄えられるので、、大きな発電力と成り、発電した電気の一部を、ポンプに使用して、その水を再び、水槽内へ入れ込み発電する、昔の騙し絵的な、水の力で水車を回し、又その水を汲み上げて使うと言う、非現実的な事が、この多機能縦型発電装置では、自力で半永久的に発電する事ができる。
水槽に入れた水の重量は昇降機内の水槽の数だけ何時も有り、分かり易く簡単に説明のしかたを変えれば、一つの水槽に１０．の力が溜るとすると、水槽の段数が１０．段あると、合せた力は１００．の力と成りその中からポンプや電磁石等の動く装置に１０、の力が必要とする、又水や鉄球を上げる力が１０．の力が必要として合せて２０、の力が必要で残る８０．の力のうち１０．の力が装置の可動で無く成るとして、残り７０．の力が得た力で自由に使えると言う事で有る。
従来は、絶対に、自力で半永久的に動く事はできないと言れたが、この問題点は、装置内に位置エネルギーを多く溜めた時間を持続させて、装置自体が使うエネルギー以上の、多くのエネルギーを作り出す事に有る。
【００１０】
本発明は、装置本体を１０°〜２５°位に傾むけてチェーンに掛る荷重を分散させた、又猪おどしの動く時期と水槽の位置を時々合せる様にした、前文で述べた様に、水又は鉄球を使って、兼用して発電ができる、半永久的に動く、多機能縦型発電装置である。
【発明の効果】
【００１１】
本発明は、装置本体を縦型にする事で水槽を大きく、又段数も多くする事で、段数の数の分、位置エネルギーを多く溜める事ができ、変速機付発電機と、装置本体の負荷により、ゆっくり動くので、水槽内に一気に、水又は、鉄球を入れ込みやすく成り、駆動チェーン大歯車を大きくして、テコの原理で大きなエネルギーを得る事ができる、自力で半永久的に発電する装置。
又別の方法として、特くに水槽の段数を多く取る事のできない所で、商工業の水を使う高い建物や、中高層の集合住宅等の、トイレ以外の工業排水や生活排水、雨水等を溜める貯水槽と、落差が有れば、一日じゅう少量の水を流して、昼夜、又季節や天候に左右されずに発電する効果を有する。
【図面の簡単な説明】
【００１２】
【図１】本発明の多機能縦型発電装置全体の側面図
【図２】同発電装置の図1、における側面拡大図
【図３】同発電装置の図1、におけるＡ−Ａ´線断面図
【図４】同発電装置の図1、におけるＢの拡大図
【発明を実施するための形態】
【００１３】
多機能縦型発電装置、全体を現す側面図１、で有る。装置本体１７を縦型にして昇降機の軸組の最上部に駆動チェーン大歯車４を取り付て、最下部にチェーン大歯車５を取り付てチェーン３を少し弛めに張った。
チェーン３に水槽１４を多数取り付て、上から下へと回転する最上の水槽１４に、猪おどしの大きい装置を使って、少ない水量や、又は鉄球を時間を掛て少しづつ溜めるが、調整おもり２を前後させて、水や鉄球の量を調整して、一定の量に成ったら水槽１４に一気に入れ込む。
水槽１４の上部を約１／３閉た１５水槽１４に入った水の跳ね上がり溢れるのを防いだ、又水槽１４に入れ込む時、少し溢れるが水槽１４の緑を伝って、下の水槽１４の中へ入る様に下の方を狭くした、四方転び１６の形状とした。
装置本体１７を１０°〜２５°の間に傾けたのは、中間チェーン歯車６がチェーン３に確実に噛み合わせる為に傾けた、水槽１４に入れた水の重量を分散する為に、中間チェーン歯車６を、数ず多く取り付て行なった。
中間チェーン歯車６の直ぐ下のチェーン３は、水槽と水の重量で張るが、中間チェーン歯車６の直ぐ上のチェーン３は、少し弛む事に成る、ＣとＤの区間や、他の間でも同様にチェーン３は、張ったり弛んだりと成り、チェーン３全体に掛る荷重の分散をする事で、チェーン３の強度を保ちチェーンの破損を防ぐ事ができた。
【実施例１】
【００１４】
図１は、多機能縦型発電装置全体の側面を現す、昇降機の駆動チェーン大歯車４にチェーン３を掛け、水槽１４をチェーン３に取り付た、最上の水槽１４に、猪おどしで一気に水や鉄球を入れ込んだ水槽１４は水の重量で前へ傾くので、水槽１４に取り付たローラー１２をローラーガードレール１３を使って傾きの位置と、昇降の最中の動きを良くする。
中間チェーン歯車６の回転を傘歯車７を使って、回転伝達軸棒１１で調整歯車８と更に回転調整歯車９を使って、駆動チェーン大歯車４のチェーンの速度を合せる、変速機付発電機１０で回転比を大きくする装置等全体を現す。
【００１５】
図２は、水槽１４に取り付たローラ１２の、２個と水槽１４の傾きと、昇降の最中の動きを良くする、ローラーガードレール１３と、チェーン３と中間チェーン歯車６の噛合せを、大きく現す。
【００１６】
図３は、図１、のA−A′の線断面で、ローラー１２とローラーガードレール１３の収まりを現す、又水槽１４の上部約１／３を閉た１５と水槽１４の下の方を狭くした、四方転び１６の形状を現す。
【００１７】
図４は、図１、のBの拡大図で有り、図１、の説明と同じ。
【産業上の利用可能性】
【００１８】
自然エネルギー促進と資源の保護にも良く、大気汚染のCO２を出さないので、地球環境に良く産業の発展と経済効果が有る。
【符号の説明】
【００１９】
１    猪おどし                        ２    調整おもり
３    チェーン                        ４    駆動チェーン大歯車
５    チェーン大歯車                  ６    中間チェーン歯車
７    傘歯車                          ８    調整歯車
９    回転調整歯車                    １０  変速機付発電機
１１  回転伝達軸棒                    １２  ローラー
１３  ローラーガードレール            １４  水槽
１５  水槽の上閉じ                    １６  四方転び
１７  装置本体
【図１】
2011163247.tif 000003
【図２】
2011163247.tif 000004
【図３】
2011163247.tif 000005
【図４】
2011163247.tif 000006